(57)【特許請求の範囲】
【請求項１】
所定周波数のクロック信号に同期したデータ信号を出力する送信部（２１）と、
入力信号のクロック成分を再生する受信部（２５）と、
前記受信部で再生されたクロック成分のジッタ量を検出するジッタ検出部（３０）とを有するジッタ測定装置において、
前記送信部は、
前記クロック信号に同期し、０と１のビットパターンが交互に続く０１パターンデータ信号と任意の測定用パターンデータ信号のいずれか一方を出力できるように構成され、
前記ジッタ検出部は、
前記送信部から出力された前記測定用パターンデータ信号を受けた測定対象から出力される信号が前記受信部に入力されたときに検出したジッタ量を、前記０１パターンデータ信号が前記送信部から前記受信部に直接入力されたときに検出したジッタ量で減算補正して、前記測定対象から出力される信号のジッタ成分を検出するように構成されていることを特徴とするジッタ測定装置。
【請求項２】
所定周波数のクロック信号に同期し０と１のビットパターンが交互に続く０１パターンデータ信号を送信部で生成して受信部に直接与え、該受信部で再生されたクロック成分のジッタ量を検出する段階と、
前記所定周波数のクロック信号に同期した任意の測定用パターンデータ信号を送信部で生成して測定対象に与え、該測定対象の出力信号を受信部に入力して該受信部で再生されたクロック成分のジッタ量を検出する段階と、
前記測定対象の出力信号に対して検出されたジッタ量を前記０１パターンデータ信号に対して検出されたジッタ量で減算補正する段階とを含むジッタ測定方法。
【請求項３】
所定周波数のクロック信号に同期した任意の測定用パターンデータ信号を送信部で生成して測定対象に与え、該測定対象の出力信号を受信部に入力して該受信部で再生されたクロック成分のジッタ量を検出する段階と、
前記所定周波数のクロック信号に同期し０と１のビットパターンが交互に続く０１パターンデータ信号を送信部で生成して受信部に直接与え、該受信部で再生されたクロック成分のジッタ量を検出する段階と、
前記測定対象の出力信号に対して検出されたジッタ量を前記０１パターンデータ信号に対して検出されたジッタ量で減算補正する段階とを含むジッタ測定方法。
【発明の詳細な説明】
【０００１】
【発明の属する技術分野】
本発明は、データ信号のジッタを測定するためのジッタ測定装置およびジッタ測定方法において、その測定装置内で発生する残留ジッタによる測定誤差の発生を防止する技術に関する。
【０００２】
【従来の技術】
データ信号を伝送するデータ伝送システムを評価する一つの項目としてジッタがある。
【０００３】
ジッタはデータ信号の位相の揺らぎの大きさを表すものであり、このジッタが大きいとデータ信号を正しく伝送できなくる。
【０００４】
このため、例えばデータ信号（データ信号で変調された信号も含む）を中継伝送する機器等では、入力されたデータ信号からその機器のビットレートに対応した極めて狭帯域のフィルタを用いてクロック成分を再生してジッタ成分を抑圧して、再生したクロック信号で受信したデータ信号の２値判定行い、その判定結果に対応する信号を伝送路に出力している。
【０００５】
ところが、このようにジッタを抑圧して再生したデータ信号を、伝送路に対応した信号形態に変換して送信する際に新たなジッタ成分が生じる。
【０００６】
このジッタ成分には、パターン依存性ジッタＪｐｄ（ｘ）と残留ジッタＪｎ（ｘ）とがある。
【０００７】
パターン依存性ジッタＪｐｄ（ｘ）は、同一のビットパターンが連続するデータ信号や一定周期毎に同一パターンが発生するフレーム構成のデータ信号を出力あるいは変調して出力する際に、機器内部の回路（例えば直流阻止用のコンデンサ）の影響で、データ信号の波形が歪むことによって生じる。また、残留ジッタＪｎ（ｘ）は機器内部の回路雑音等に依存して発生する。
【０００８】
したがって、これらの機器を用いてデータ伝送システムを構築する場合には、、その機器にデータ信号を与えて、機器から出力されるデータ信号からパターン依存性ジッタＪｐｄ（ｘ）と残留ジッタＪｎ（ｘ）とを含むジッタ量を求める必要がある。
【０００９】
図８は、このような目的で使用される従来のジッタ測定装置１０の構成を示している。
【００１０】
このジッタ測定装置１０は、光のデータ信号を伝送する機器を測定対象１とするものであり、送信部１１、受信部１５およびジッタ検出部１８によって構成されている。
【００１１】
送信部１１は、クロック発生器１２から測定対象１のビットレートに対応する周波数のクロック信号Ｃをパターン発生器１３に与えて、パターン発生器１３からクロック信号Ｃに同期して出力されるデータ信号Ｐを電気光変換器（ＥＯ変換器）１４に与えてデータ信号Ｐによって変調された光データ信号Ｈを出力させる。この光データ信号Ｈは出力端子１０ａを介して測定対象１に与えられる。
【００１２】
また、受信部１５は、測定対象１から出力される光データ信号Ｈ′を入力端子１０ｂを介して受け、光電変換器（ＯＥ変換器）１６によって電気のデータ信号Ｐ′に変換してクロック再生回路１７に出力し、クロック再生回路１７でそのクロック成分Ｃ′を再生する。
【００１３】
ジッタ検出部１８は、再生されたクロック成分Ｃ′を位相検波し、その検波出力信号の振幅に基づいて入力された光データ信号Ｈ′のジッタ量Ｊを求める。
【００１４】
なお、ジッタ量Ｊは、データ信号Ｐ′のビット周期に対するクロック成分Ｃ′の位相変化の割合（単位はユニットインターバルＵＩ）で表され、位相検波感度Ｋが予め既知で、検波出力信号の位相変化の最大値（ｐ−ｐ値）をΦp-pとすれば、検波出力信号の最大振幅（ｐ−ｐ値）Ｖp-pは、
Ｖp-p＝Ｋ・Φp-p
となり、位相変化の最大値Φp-pは、
Φp-p＝Ｖp-p／Ｋ
となる。
【００１５】
したがって、光データ信号Ｈ′のジッタ量Ｊｘ（ＵＩp-p）は、
Ｊｘ＝Φp-p／２π＝Ｖp-p／（２πＫ）
の演算で求めることができる。
【００１６】
このジッタ量Ｊｘは、測定対象１のパターン依存性ジッタＪｐｄ（ｘ）と残留ジッタＪｎ（ｘ）を含んだ値である。
【００１７】
【発明が解決しようとする課題】
しかしながら、受信部１５で再生されたクロック成分Ｃ′には、測定対象１に起因するジッタ成分だけでなく、受信部１５が発生するジッタ成分も含まれている。このジッタ成分は、非確定的ジッタで特に測定器内部で発生するジッタを残留ジッタと呼ぶ。
【００１８】
即ち、送信部１１に起因して発生するジッタ成分（パターン依存性ジッタＪｐｄ（ｔ）が支配的で残留ジッタＪｎ（ｔ）は無視できる）は、前記したように、測定対象１のクロック再生処理で抑圧されてしまうが、受信部１５に起因して発生するジッタ成分は抑圧されずに、位相検波出力に含まれてしまう。
【００１９】
この受信部１５は、広い周波数範囲のジッタ成分を検出できるように、広帯域なクロック再生特性を有しているために、パターン依存性ジッタはほとんど発生しないが、その広帯域特性により回路雑音等に起因する残留ジッタＪｎ（ｒ）が発生し、その残留ジッタＪｎ（ｒ）のために、ジッタ検出部１８が検出するジッタ量Ｊｘは入力された光データ信号Ｈ′のジッタ量を正確に表していない。
【００２０】
この受信部１５の残留ジッタＪｎ（ｒ）の量は小さいが、近年は、光データ伝送システムによってデータの伝送レートが高くなり、システムに要求されるジッタ特性が非常に厳しくなっており、僅かな残留ジッタでも無視できない状況となっている。
【００２１】
この問題を解決するために、出力端子１０ａと入力端子１０ｂを接続して、受信部１５の残留ジッタＪｎ（ｒ）を求めることが考えられる。
【００２２】
ところが、前記したように、送信部１１から出力される光データ信号Ｈには、送信部１１のパターン依存性ジッタＪｐｄ（ｔ）が含まれているので、ジッタ検出部１８で検出されるジッタ量Ｊは、
Ｊ＝Ｊｐｄ（ｔ）＋Ｊｎ（ｒ）
となってしまい、必要な受信部１５の残留ジッタＪｎ（ｒ）だけを求めることはできない。
【００２３】
本発明は、この問題を解決して、装置の受信部が発生する残留ジッタの影響を除いて、測定対象のジッタを正確に測定できるジッタ測定装置およびジッタ測定方法を提供することを目的としている。
【００２４】
【課題を解決するための手段】
前記目的を達成するために、本発明の請求項１のジッタ測定装置は、
所定周波数のクロック信号に同期したデータ信号を出力する送信部（２１）と、
入力信号のクロック成分を再生する受信部（２５）と、
前記受信部で再生されたクロック成分のジッタ量を検出するジッタ検出部（３０）とを有するジッタ測定装置において、
前記送信部は、
前記クロック信号に同期し、０と１のビットパターンが交互に続く０１パターンデータ信号と任意の測定用パターンデータ信号のいずれか一方を出力できるように構成され、
前記ジッタ検出部は、
前記送信部から出力された前記測定用パターンデータ信号を受けた測定対象から出力される信号が前記受信部に入力されたときに検出したジッタ量を、前記０１パターンデータ信号が前記送信部から前記受信部に直接入力されたときに検出したジッタ量で減算補正して、前記測定対象から出力される信号のジッタ成分を検出するように構成されている。
【００２５】
また、本発明の請求項２のジッタ測定方法は、
所定周波数のクロック信号に同期し０と１のビットパターンが交互に続く０１パターンデータ信号を送信部で生成して受信部に直接与え、該受信部で再生されたクロック成分のジッタ量を検出する段階と、
前記所定周波数のクロック信号に同期した任意の測定用パターンデータ信号を送信部で生成して測定対象に与え、該測定対象の出力信号を受信部に入力して該受信部で再生されたクロック成分のジッタ量を検出する段階と、
前記測定対象の出力信号に対して検出されたジッタ量を前記０１パターンデータ信号に対して検出されたジッタ量で減算補正する段階とを含んでいる。
【００２６】
また、本発明の請求項３のジッタ測定方法は、
所定周波数のクロック信号に同期した任意の測定用パターンデータ信号を送信部で生成して測定対象に与え、該測定対象の出力信号を受信部に入力して該受信部で再生されたクロック成分のジッタ量を検出する段階と、
前記所定周波数のクロック信号に同期し０と１のビットパターンが交互に続く０１パターンデータ信号を送信部で生成して受信部に直接与え、該受信部で再生されたクロック成分のジッタ量を検出する段階と、
前記測定対象の出力信号に対して検出されたジッタ量を前記０１パターンデータ信号に対して検出されたジッタ量で減算補正する段階とを含んでいる。
【００２７】
【発明の実施の形態】
以下、図面に基づいて本発明の実施の形態を説明する。
図１は、本発明を適用したジッタ測定装置２０の構成を示している。
【００２８】
図１に示しているように、このジッタ測定装置２０は、前記した従来のジッタ測定装置１０と同様に、測定対象１に与えるデータ信号を生成して出力端子２０ａから出力する送信部２１と、測定対象１から出力されたデータ信号を入力端子２０ｂを介して受信しそのクロック成分を再生する受信部２５と、受信部２５で再生されたクロック成分のジッタを検出するジッタ検出部３０とを有している。
【００２９】
また、このジッタ測定装置２０には、測定に必要なパラメータを入力したり、測定開始の指示を行なうための操作部３７、制御部３８および表示器３９が設けられている。
【００３０】
送信部２１は、クロック発生器２２から測定対象１のビットレートに対応する周波数のクロック信号Ｃをパターン発生器２３に与え、パターン発生器２３からクロック信号Ｃに同期して出力されるデータ信号Ｐを電気光変換器（ＥＯ変換器）２４に与えてデータ信号Ｐによって変調された光データ信号Ｈを出力させる。この光データ信号Ｈは出力端子２０ａを介して測定対象１に与えられる。
【００３１】
ここで、クロック発生器２２は、制御部３８からの情報により、ビットレートの異なる測定対象に対応して出力するクロック信号Ｃの周波数を可変できるようになっており、また、任意のジッタを付加できるように位相変調機能を有している。
【００３２】
また、パターン発生器２３は、測定対象１に入力するための擬似ランダム信号（ＰＲＢＳ）やＳＯＮＥＴフレームパターン等の測定用パターンデータ信号Ｐｍを発生する測定用パターン発生部２３ａと、０と１のビットパターンが交互に続く０１パターンデータ信号Ｐｎを発生する０１パターン発生部２３ｂと、そのいずれかを選択的に出力するパターン選択手段２３ｃとを有しており、制御部３８から指定されたパターンのデータ信号を出力する。
【００３３】
なお、測定用パターン発生部２３ａと０１パターン発生部２３ｂとは、ハードウエア上で完全に独立したものである必要はなく、測定用パターンデータ信号Ｐｍと０１パターンデータ信号Ｐｎのいずれか一方を選択的に出力できるものであればよい。
【００３４】
一方、受信部２５は、後述するように、出力端子２０ａから出力された光データ信号Ｈまたは測定対象１から出力された光データ信号Ｈ′を入力端子２０ｂを介して光電変換器（ＯＥ変換器）２６で受け、電気のデータ信号Ｐ′に変換し、そのデータ信号Ｐ′をクロック再生回路２７に出力し、クロック再生回路２７で再生されたクロック成分Ｃ′を、ジッタ検出部３０に出力する。
【００３５】
この受信部２５は、前記したように、広い周波数範囲のジッタ成分を検出できるように広帯域なクロック再生特性を有している。
【００３６】
ジッタ検出部３０は、受信部２６で再生されたクロック成分Ｃ′を位相検波器３１によって位相検波して、クロック成分Ｃ′の位相変化に振幅が対応する信号Ｖをジッタ算出手段３２に出力する。
【００３７】
ジッタ算出手段３２は、位相検波器３１から出力される信号Ｖの振幅に基づいてジッタ量Ｊを算出してジッタメモリ３３およびジッタ補正手段３４に出力する。
【００３８】
ジッタメモリ３８は、ジッタ算出手段３２が算出したジッタ量を制御部３８の指示を受けて記憶する。
【００３９】
ジッタ補正手段３４は、ジッタ算出手段３２から出力されたジッタ量Ｊから、ジッタメモリ３３に記憶されているジッタ量を減じて出力する。
【００４０】
制御部３８は、操作部３７から入力されたパラメータにしたがって、送信部２１、受信部２５およびジッタ検出部３０の制御を行い、ジッタ検出部３０で検出されたジッタ量を表示器３９に出力する。
【００４１】
図２は、制御部３８の処理手順を示すフローチャートである。
以下、このフローチャートに基づいて実施形態のジッタ測定装置２０の動作を説明する。
【００４２】
例えば、所定ビットレートＢの測定対象１のジッタを測定する場合、作業者は図３に示しているように出力端子２０ａと入力端子２０ｂの間を直結した状態で、操作部３７によってビットレートＢを指定し、残留ジッタ測定を指示する。
【００４３】
このビットレートＢの指定と残留ジッタ測定の指示とを受けた制御部３８は、送信部２１のクロック発生器２２がビットレートＢに対応する周波数でジッタを含まないクロック信号Ｃを出力するように設定する（Ｓ１〜Ｓ３）。
【００４４】
次に、パターン発生器２３の０１パターン発生部２３ａ側を選択して、０と１のビットパターンが交互に続く０１パターンデータ信号Ｐｎを、クロック信号Ｃに同期して出力するように設定する（Ｓ４）。
【００４５】
この設定により、パターン発生器２３からは、図４の（ａ）に示すクロック信号Ｃに同期して、図４の（ｂ）に示す０１パターンデータ信号Ｐｎが出力されることになり、この０１パターンデータ信号Ｐｎで変調された光データ信号ＨがＥＯ変換器２４から出力端子２０ａに出力され、入力端子２０ｂを介して受信部２５のＯＥ変換器２６に入力される。
【００４６】
このように０と１のビットパターンが交互に続く０１パターンデータ信号Ｐｎは、パターン発生器２３やＥＯ変換器２４の内部で直流阻止用のコンデンサを通過しても、時間当たりの直流平均値が変化しないので、直流平均値の変動による波形歪みが発生せず、パターン依存性ジッタＪｐｄ（ｔ）は発生しない。
【００４７】
また、前記したように、送信部２１における残留ジッタＪｎ（ｔ）は無視できる程小さいので、受信部２５のＯＥ変換器２６に入力される光データ信号Ｈには、測定に影響を与えるジッタは含まれていない。
【００４８】
この光データ信号Ｈは、ＯＥ変換器２６によって電気のデータ信号Ｐｎ′に変換され、クロック再生回路２７に入力されて、そのクロック成分Ｃ′が再生される。
【００４９】
受信部２５で再生されたクロック成分Ｃ′は、ジッタ検出部３０の位相検波器３１で位相検波され、位相検波器３１からは、クロック成分Ｃ′の位相変化に応じて振幅を有する信号Ｖが例えば図５のように出力される。
【００５０】
前記したように、受信部２５に入力される０１ビットパターンの光データ信号Ｈには、測定に影響するジッタ分は含まれていないので、位相検波器３１から出力される信号Ｖの振幅は、受信部２５の各回路の雑音成分による残留ジッタＪｎ（ｒ）の大きさに対応している。
【００５１】
ジッタ算出手段３２は、位相検波器３１から出力される信号Ｖの最大振幅Ｖp-pと位相検波器３１の感度Ｋとに基づいて、ジッタ量Ｊを、
Ｊ＝Ｖp-p／（２πＫ）
の演算で求める。
【００５２】
制御部３８は、ジッタ算出手段３２で算出されたジッタ量Ｊを受信部２５の残留ジッタＪｎ（ｒ）に等しい値としてジッタメモリ３３に記憶させ、残留ジッタＪｎ（ｒ）の測定が終了したことを作業者に通知する（Ｓ５、Ｓ６）。なお、この通知は、表示器３９に残留ジッタの値を表示したり、報知用の音声データを読み出してスピーカから出力したり、あるいはランプの点灯、点滅やフザー音の出力等で行なう。
【００５３】
残留ジッタＪｎ（ｒ）の測定が終了したことを確認した作業者は、出力端子２０ａと入力端子２０ｂの間の接続を切断して、図１に示しているように、出力端子２０ａと入力端子２０ｂを測定対象１に接続してから、付加するジッタ量Ｊｕ（零でもよい）と測定用パターンデータ信号（例えばＰＲＢＳ）の種類等のパラメータを指定し、測定開始を指示する。
【００５４】
このパラメータの指定および測定開始の指示を受けた制御部３８は、クロック発生器２２から、指定されたジッタ量Ｊｕで位相変調されたクロック信号Ｃが出力されるように設定し、パターン発生器２３の測定用パターン発生部２３ａ側を選択して、クロック信号Ｃに同期した指定された測定用パターンデータ信号Ｐｍ（例えばＰＲＢＳ）が出力されるように設定する（Ｓ７〜Ｓ１０）。
【００５５】
この設定により、パターン発生器２３からは、クロック信号Ｃに同期した測定用パターンデータ信号Ｐｍが出力され、この測定用パターンデータ信号Ｐｍによって変調された光データ信号ＨがＥＯ変換器２４から出力端子２０ａを介して測定対象１に入力される。なお、この光データ信号Ｈには、付加されたジッタＪｕの他に、測定用パターンデータ信号Ｐｍのパターンに依存するパターン依存性ジッタＪｐｄ（ｔ）が含まれている。
【００５６】
測定対象１は、例えば光データ信号Ｈを内部で光電変換し、その変換信号からクロック成分を狭帯域フィルタ等を用いて再生し、再生したクロック信号で変換信号の２値判定を行い、その判定結果で変調された光データ信号Ｈ′を生成して、入力端子２０ｂに出力する。
【００５７】
この光データ信号Ｈ′には、測定対象１のパターン依存性ジッタＪｐｄ（ｘ）と残留ジッタＪｎ（ｘ）とが含まれているが、前記したように、送信部２１から出力された光データ信号Ｈのジッタ成分Ｊｐｄ（ｔ）は抑圧されて含まれていない。
【００５８】
受信部２５に入力された光データ信号Ｈ′は、ＯＥ変換器２６によって電気のデータ信号Ｐ′に変換され、そのデータ信号Ｐ′がクロック再生回路２７に入力されて、クロック成分Ｃ′が再生される。
【００５９】
再生されたクロック成分Ｃ′はジッタ検出部３０の位相検波器３１に入力されて位相検波され、位相検波器３１からはクロック成分Ｃ′の位相変化に対応する振幅を有する信号Ｖが出力される。
【００６０】
この信号Ｖの振幅は、光データ信号Ｈ′のジッタ成分、即ち、Ｊｐｄ（ｘ）＋Ｊｎ（ｘ）と、受信部２５の残留ジッタＪｎ（ｒ）の和に対応している。
ジッタ算出手段３２は、位相検波器３１から出力される信号Ｖの最大振幅Ｖp-pと位相検波器３１の感度Ｋとに基づいて、ジッタ量Ｊを、
Ｊ＝Ｖp-p／（２πＫ）
の演算で求めてジッタ補正手段３４に出力する。
【００６１】
ジッタ補正手段３４は、このジッタ量Ｊを、ジッタメモリ３３に記憶されている受信部２５の残留ジッタＪｎ（ｒ）で減算補正、即ち、
Ｊｘ＝Ｊ−Ｊｎ（ｒ）
の演算によって補正して、測定対象１の真のジッタ量Ｊｘを求め、制御部３８に出力する。
【００６２】
制御部３８は、上記の補正演算を行なわせ、その補正演算で得られたジッタ量Ｊｘを、測定対象１の出力信号の真のジッタ量として表示器３９に表示する（Ｓ１１、Ｓ１２）。
【００６３】
なお、ここでは、ジッタ量同士の減算によって受信部２５の残留ジッタ分の補正を行なっていたが、位相検波器３１の検波特性の直線性が高い場合、即ち、感度Ｋが一定のときには、最大振幅Ｖp-pの減算によって受信部２５の残留ジッタ分の補正を行なうこともできる。
【００６４】
即ち、０１パターンデータ信号Ｐｎを入力したときに得られた信号Ｖの最大振幅Ｖp-pをＡ、測定対象１の出力信号を入力したときに得られた信号Ｖの最大振幅Ｖp-pをＢとすれば、測定対象１の出力信号のジッタ量Ｊｘは、
Ｊｘ＝（Ｂ−Ａ）／（２πＫ）
の減算補正で求めることができる。
【００６５】
つまり、本発明のジッタの減算補正とは、信号Ｖの振幅を減算補正（Ｂ−Ａ）してから、ジッタ量を算出する場合も含むものとする。なお、この場合には、振幅値Ａをジッタメモリ３３に記憶しておき、振幅値Ｂが得られたときにその減算補正をジッタ補正手段３４で行い、補正された振幅値に対応したジッタ量をジッタ算出手段３２で算出すればよい。
【００６６】
また、上記説明では、始めに０１パターンデータ信号Ｐｎを用いて受信部２５の残留ジッタＪｎ（ｒ）を測定してジッタメモリ３３に記憶してから測定用パターンデータ信号Ｐｍを用いた測定対象１の出力信号のジッタ測定を行なって、そのジッタ量を補正していたが、先に測定用パターンデータ信号Ｐｍを用いて測定対象１の出力信号のジッタ測定を行い、その結果をジッタメモリ３３に記憶してから、０１パターンデータ信号Ｐｎを用いて受信部２３の残留ジッタＪｎ（ｒ）を求めて、前記補正を行なってもよい。
【００６７】
また、前記したジッタ測定装置２０では、作業者が出力端子２０ａと入力端子２０ｂをケーブル接続していたが、図６に示すジッタ測定装置２０′のように、スイッチ５１、５２を設けて装置内部で送信部２１と受信部２５との間を直結できるようにし、制御部３８が、操作部３７からの指示を受けると、送信部２１と受信部２５の間を接続して、前記同様に０１パターンデータ信号Ｐｎを用いて受信部２５の残留ジッタＪｎ（ｒ）を求めさせてから、送信部２１を出力端子２０ａに接続し、受信部２５を入力端子２０ｂに接続して、測定用パターンデータ信号Ｐｍを用いた測定対象１のジッタ測定およびジッタ補正を行なわせ、測定対象１の真のジッタ量Ｊｘを求めるようにする。
【００６８】
このようにすれば、作業者は、最初に測定に必要なパラメータを入力して測定開始を指示するだけで済む。
【００６９】
また、上記したジッタ測定装置２０、２０′は、データ信号で変調された光信号を伝送する機器を測定対象としていたが、電気のデータ信号を伝送する機器を測定対象とする場合にも本発明を同様に適用できる。
【００７０】
この場合には、送信部２１のＥＯ変換器２４および受信部２５のＯＥ変換器２６の代わりに電気の伝送路に対応したインタフェースを用いたり、あるいは、図７に示すジッタ測定装置２０″のように、パターン発生器２３から出力される電気のデータ信号を出力端子２０ａから直接出力し、測定対象１から出力される電気の信号を入力端子２０ａを介してクロック再生回路２７に入力させるように構成された場合でも全く同様に適用できる。この場合でも、手動による接続切り換えではなく、前記したジッタ測定装置２０′と同様にスイッチ５１、５２を設けて制御部３８で自動的に切り換え制御してもよい。
【００７１】
【発明の効果】
以上説明したように、本発明のジッタ測定装置およびジッタ測定方法は、０と１のビットパターンが交互に続く０１パターンデータ信号を送信部で生成して受信部に直接与えて、そのジッタを測定することで、測定に影響を与える受信部の残留ジッタを求め、測定用パターンデータ信号を与えたときに測定対象から出力される信号に対して得られたジッタを、受信部の残留ジッタで補正している。
【００７２】
このため、測定対象の出力信号に含まれるジッタ成分を、受信部の残留ジッタに影響されることなく、正確に求めることができる。
【図面の簡単な説明】
【図１】本発明の実施形態の構成を示す図
【図２】実施形態の動作を説明するためのフローチャート
【図３】実施形態の残留ジッタ測定時の接続状態を示す図
【図４】実施形態の要部の出力信号を示す図
【図５】実施形態の要部の出力信号を示す図
【図６】他の実施形態を示す図
【図７】他の実施形態を示す図
【図８】従来装置の構成を示す図
【符号の説明】
１……測定対象、２０、２０′、２０″……ジッタ測定装置、２１……送信部、２２……クロック発生器、２３……パターン発生器、２３ａ……測定用パターン発生部、２３ｂ……０１パターン発生部、２３ｃ……パターン選択手段、２４……ＥＯ変換器、２５……受信部、２６……ＯＥ変換器、２７……クロック再生回路、３０……ジッタ検出部、３１……位相検波器、３２……ジッタ算出手段、３３……ジッタメモリ、３４……ジッタ補正手段、３７……操作部、３８……制御部、３９……表示器
【図１】
0003710433.tif 000002
【図２】
0003710433.tif 000003
【図３】
0003710433.tif 000004
【図４】
0003710433.tif 000005
【図５】
0003710433.tif 000006
【図６】
0003710433.tif 000007
【図７】
0003710433.tif 000008
【図８】
0003710433.tif 000009